(57)【要約】【課題】  ストロボを長時間、連続的に発光させると、ストロボのフレネルレンズが発光により発生する熱により溶ける恐れがある。【解決手段】  デジタルカメラに装着可能なストロボ装置に、フレネルレンズがストロボ発光により溶ける危険性を検知する危険検知手段とその情報をカメラに送信する手段を持っていて、カメラは、ストロボ装置からフレネルレンズの危険情報を受信するとＩＳＯ感度を自動的に上げることを特徴としたデジタルカメラシステムとすることで、フレネルレンズの破壊防止をしながら撮影画像が撮影者の意図しない画像とならずに撮影が可能とする。【選択図】  図４
2007309996.tif 000002
【特許請求の範囲】
【請求項１】
デジタルカメラに装着可能なストロボ装置に、フレネルレンズがストロボ発光により溶ける危険性を検知する危険検知手段とその情報を前記デジタルカメラに送信する手段を持っていて、前記デジタルカメラは、ストロボ装置からフレネルレンズの危険情報を受信するとＩＳＯ感度を自動的に上げることを特徴としたデジタルカメラシステム。
【請求項２】
請求項１に記載のデジタルカメラシステムにおいて、ストロボ装置に、ストロボのズーム情報を送信する手段があり、前記デジタルカメラは、ストロボ装置からのフレネルレンズの危険情報とストロボズーム情報を受信するとＩＳＯ感度を自動的に上げる量をストロボズーム位置により変えることを特徴としたデジタルカメラシステム。
【請求項３】
デジタルカメラに装着可能なストロボ装置に、フレネルレンズがストロボ発光により溶ける危険性を検知する危険検知手段とその情報を前記デジタルカメラに送信する手段を持っていて、前記デジタルカメラは、ストロボ装置からフレネルレンズの危険情報を受信すると絞り設定値を開放側に自動的に変更することを特徴としたデジタルカメラシステム。
【請求項４】
請求項３に記載のデジタルカメラシステムにおいて、ストロボ装置に、ストロボのズーム情報を送信する手段があり、前記デジタルカメラは、ストロボ装置からのフレネルレンズの危険情報とストロボズーム情報を受信すると絞り設定値を開放側に変更する量をストロボズーム位置により変えることを特徴としたデジタルカメラシステム。
【発明の詳細な説明】
【技術分野】
【０００１】
本発明は、ストロボ装置とデジタルカメラ装置に関係したデジタルカメラシステムに関するものです。
【背景技術】
【０００２】
従来は、ストロボのフレネルレンズが発光により溶ける危険性が発生した場合は、ストロボ装置自体でズーム位置を望遠側（フレネルレンズから離れる方向）に移動させることで、フレネルレンズの破壊を防止していた。
【０００３】
又、別の従来例としては、特許文献１をあげることが出来る。
【特許文献１】特開平08-050318号公報
【発明の開示】
【発明が解決しようとする課題】
【０００４】
しかしながら、従来のフレネルレンズの破壊防止方法では、ストロボのズーム位置が望遠側に移動してしまう為、その状態で撮影すると撮影する範囲にストロボの配光が合わないので、画面の周辺にストロボ光が行きわたらずに、撮影者が意図しない画像となってしまう。
【課題を解決するための手段】
【０００５】
デジタルカメラに装着可能なストロボ装置に、フレネルレンズがストロボ発光により溶ける危険性を検知する危険検知手段とその情報をカメラに送信する手段を持っていて、カメラは、ストロボ装置からフレネルレンズの危険情報を受信するとＩＳＯ感度を自動的に上げることを特徴としたデジタルカメラシステム。
【発明の効果】
【０００６】
フレネルレンズの危険情報により、ＩＳＯ感度を上げて発光量を抑えて撮影を可能にする為、ストロボの配光は、撮影範囲と一致するので、撮影者が意図しない画像とならず、フレネルレンズの破壊を防止しながら、撮影ができる。
【発明を実施するための最良の形態】
【０００７】
次に、本発明の詳細を実施例の記述に従って説明する。
【実施例１】
【０００８】
本発明の実施例を図１から図５を使って、詳細に説明する。図１は、本発明の概略構成ブロック図、図２はストロボ装置から受信するデータ、図３、図４と図５は、カメラ動作のフローチャート図である。
【０００９】
図１において、１はシステム制御部であり、後述する撮像部制御回路、メモリ制御部、モータ制御回路、シャッター制御回路、測光回路、焦点検出回路、液晶表示部、画像表示部、操作部、レンズ制御回路、ストロボ回路と通信を行いシステム全体の制御を行っている。
【００１０】
２は撮像部であり、撮像素子（ＣＣＤ等）等の撮像に関するモジュール群である。
【００１１】
３は撮像部制御回路であり、撮像素子（ＣＣＤ等）の駆動等の制御を行う。
【００１２】
４は一時記憶領域である前バッファメモリである。
【００１３】
５は２で撮影された画像データとその画像情報をもとに画像処理を行う画像処理部である。７は処理された画像を蓄積する後バッファメモリである。
【００１４】
６は前バッファメモリ４と後バッファメモリ７とハードディスク９を制御するメモリ制御部である。
【００１５】
８は画像処理後の画像データを後バッファメモリからハードディスク９に記憶させるためのインターフェース（Ｉ／Ｆ）である。
【００１６】
９は画像データを記憶するハードディスクである。
【００１７】
１０は不図示のミラーやシャッターをチャージ等する為のモータを駆動するモータ制御回路である。
【００１８】
１１はシステム制御部からの信号に従って、不図示のシャッターの先幕やシャッターの後幕を走行させ、撮像素子に被写体からの光を露光させる為のシャッター制御回路である。
【００１９】
１２は不図示の測光センサーからの出力をシステム制御部に出力する為の測光回路である。
【００２０】
１３は不図示のフォーカス検出用センサーを蓄積制御、読み出し制御を行って、フォーカスの画像情報をシステム制御部に出力する。システム制御部は、周知の位相差検出方法により焦点検出を行い、脱着可能なレンズ内部にある１７のレンズ制御回路と通信を行いレンズの駆動をし、焦点調節を行う。
【００２１】
１４はカメラのシャッター秒時、絞り値、ISO値等の設定表示等やカメラの各種情報を表示する液晶表示部で、不図示の表示パネルを制御している。
【００２２】
１５は撮影された画像を表示する為の画像表示部で、画像の他にも液晶表示部で表示されない細かいカメラ情報等を表示し、不図示のＴＦＴを制御している。
【００２３】
１６は不図示のカメラ各種ボタンやスイッチ、ダイヤルの検出をしている操作部である。ダイヤルは位相差検出タイプで回転数と回転方向が判る仕組みとなっている。
【００２４】
また、不図示のシャッターボタンも操作部に接続されているが、このシャッターボタンは２段階のストロークスイッチとなっていて、カメラの動作では、この第一ストローク（測光／ＡＦ開始ＳＷ）で測光とＡＦを開始し、第二ストローク（撮影操作ＳＷ）で撮影動作を開始する。
【００２５】
１７は不図示の脱着可能なレンズ内部にあるレンズ制御回路で、カメラ内部であるシステム制御部からの指示にしたがい、レンズ内部の焦点調節や絞り駆動を行う。
【００２６】
１８は不図示の脱着可能なストロボ内部にあるストロボ制御回路で、カメラと通信を行い、カメラ内部であるシステム制御部からの指示にしたがい、ストロボ発光等を行なう。
【００２７】
１９はストロボ内部にある温度検知回路で、ストロボのフレネルレンズ近辺に設置されていて、温度検出を行い、ストロボ制御回路に情報を伝えている。
【００２８】
また、カメラがストロボ制御回路から受信しているデータとしては、図２であるように、ストロボモード情報、ストロボズーム位置情報（ワイド端、テレ端、現在位置）、ストロボＧＮｏ情報、フレネルレンズの温度危険レベル情報（ＬＥＶＥＬ１、ＬＥＶＥＬ２、ＬＥＶＥＬ３）がある。
【００２９】
図３、図４と図５は、カメラの動作フローを表したフローチャートであり、カメラの動作フローを詳細に説明する。
【００３０】
Ｓ００１において、カメラはレジスタの初期化やデータの初期化、及び周辺回路の初期化等の初期設定を行う。
【００３１】
Ｓ００２において、不図示のカメラ設定ボタンや撮影操作ボタン、メイン電子ダイヤル、サブ電子ダイヤル等の状態検出を行う。
【００３２】
Ｓ００３において、測光／ＡＦ開始ＳＷがオフならば、Ｓ０１３へ移行し、そうでなければＳ００４へ移行する。
【００３３】
Ｓ００４において、外部ストロボが装着されている場合は、外部ストロボと通信を行い、図２で示すように、ストロボ情報を受信する。
【００３４】
また、このストロボ情報の中には、フレネルレンズの温度危険レベル情報が含まれていて、危険度によりレベルを変えていて、レベルの内容としては、ＬＥＶＥＬ１：危険度小、ＬＥＶＥＬ２：危険度中、ＬＥＶＥＬ３：危険度大、としている。
【００３５】
Ｓ００５において、被写体に焦点を合わせる為に、周知の位相差検出方式による測距動作を行う。
【００３６】
Ｓ００６において、前記測距動作によるデータをもとに、レンズを駆動する。
【００３７】
Ｓ００７において、演算ＩＳＯ決定手段によりＳ００８にて測光演算する為のＩＳＯを決定する。
【００３８】
ここで、演算ＩＳＯ決定手段を図４により、詳細に説明する。
【００３９】
図４のＳ１０１において、ストロボが未装着ならばＳ１０２へ移行し、そうでなければＳ１０３へ移行する。
【００４０】
Ｓ１０２において、演算ＩＳＯを設定ＩＳＯ（撮影者が任意に設定するＩＳＯ値）に決定する。
【００４１】
Ｓ１０３において、ストロボ情報であるフレネルレンズの温度危険レベル情報がＬＥＶＥＬ１ならば、Ｓ１０４へ移行し、そうでなければＳ１０５へ移行する。
【００４２】
Ｓ１０４において、演算ＩＳＯを設定ＩＳＯ（撮影者が任意に設定するＩＳＯ値）に決定する。
【００４３】
Ｓ１０５において、危険レベル情報がＬＥＶＥＬ２ならば、Ｓ１０６へ移行し、そうでなけばＳ１０７に移行する。
【００４４】
Ｓ１０６において、演算ＩＳＯを設定ＩＳＯ＋１段に決定して、ＩＳＯ感度を設定ＩＳＯより１段高感度側にアップさせる。
【００４５】
Ｓ１０７において、ＬＥＶＥＬ３なので演算ＩＳＯを設定ＩＳＯ＋２段に決定して、ＩＳＯ感度を設定ＩＳＯより２段高感度側にアップさせる。
【００４６】
Ｓ１０８において、ストロボズーム位置がワイド端ならば、Ｓ１０９に移行して、演算ＩＳＯを更に＋１段する。そうでなければ、Ｓ１１０へ移行する。
【００４７】
Ｓ１１０において、演算ＩＳＯが最大ＩＳＯよりも大きければ、Ｓ１１１に移行して、演算ＩＳＯを最大ＩＳＯに決定し、そうでなければ、演算ＩＳＯは変更せずに、この演算ＩＳＯ決定手段のフローチャートを終了する。
【００４８】
図３に戻って、Ｓ００８において、測光回路からの出力や演算ＩＳＯ、撮影モード等のカメラ設定から、シャッター秒時（ＣＣＤ蓄積時間）、絞り値等を決定するための測光演算処理を行う。
【００４９】
Ｓ００９において、測光演算等により求められたシャッター秒時、絞り値等、カメラの情報を表示部により、表示する。
【００５０】
Ｓ０１０において、撮影操作ＳＷがオンならば、Ｓ０１１へ移行し、周知であるＣＣＤのゲイン設定、ＣＣＤ蓄積動作、ＣＣＤ読み出し、画像処理、画像書き込み等、撮影動作を行う。
【００５１】
ここで、図５の撮影動作フローチャートにより詳細に説明する。
【００５２】
Ｓ２０１において、ストロボをプリ発光させその時の測光回路出力とストロボ非発光時の出力との出力差と測光演算で算出したシャッタースピード、絞り値からストロボの発光量を算出し、ストロボへ発光量を送信する。
【００５３】
Ｓ２０２において、ミラー制御回路に指示を出し、ミラーアップを開始しミラーアップ完了後にＳ２０３に移行する。
【００５４】
Ｓ２０３において、イメージセンサーの蓄積を開始する。
【００５５】
Ｓ２０４において、シャッター先幕を走行させて、露光を開始し、シャッター秒時後にシャッター後幕を走行させる。
【００５６】
また、ストロボは、シャッター先幕走行完了の信号を検知して、Ｓ２０１で指示された発光量を発光する。
【００５７】
Ｓ２０５において、シャッターの後幕走行完了するまでループする。
【００５８】
Ｓ２０６において、イメージセンサーの蓄積を終了する。
【００５９】
Ｓ２０７において、ミラー制御回路、モータ制御回路に指示を出し、ミラーダウン及び、シャッターチャージを開始する。
【００６０】
Ｓ２０８において、イメージセンサーの信号読み出し処理を行う。
【００６１】
Ｓ２０９において、信号補正処理では、読み出した信号に補正処理を行う。
【００６２】
Ｓ２１０において、画像圧縮処理では、補正処理後の信号（画像信号）を所定の方法により圧縮を行う。
【００６３】
Ｓ２１１において、ヘッダー情報の作成を行う。
【００６４】
Ｓ２１２において、ヘッダー情報や画像信号等から、画像ファイルを作成する。
【００６５】
Ｓ２１３において、作成した画像ファイルをハードディスクに書き込み、この撮影動作フローを終了する。
【００６６】
図３に戻って、Ｓ０１２において、測光／ＡＦ開始ＳＷがオンならばＳ００２へ戻り、そうでなければ、Ｓ０１３へ移行する。
【００６７】
Ｓ０１３において、不図示のカメラ設定釦が押されていれば、Ｓ１０４へ移行しカメラの各種設定処理を行い、Ｓ００２へ戻る。
【００６８】
Ｓ０１５において、カメラの動作電源ＳＷがオンであれば、Ｓ００２に戻り、そうでなければ、Ｓ０１３において、カメラの動作を終了させるために、周辺回路への電源オフの指示やデータの退避等の終了設定を行い、動作を終了する。
【００６９】
以上の動作により、外部ストロボからフレネルレンズの温度危険レベル情報を受け取り、危険と判断するとＩＳＯ感度を自動的に高感度側にアップさせることで、発光量を抑えることが可能となる。
【００７０】
更に、ストロボのズーム位置が、ワイド端ならば最もフレネルレンズに近いので、更にＩＳＯ感度を自動的に高感度側にアップさせることで、発光量を抑えることが可能である。
【００７１】
以上が実施例１の内容である。
【実施例２】
【００７２】
本発明の実施例を図１、図２、図５、図６、図７を使って、詳細に説明する。図１は、本発明の概略構成ブロック図、図２はストロボ装置から受信するデータ、図５、図６と図７は、カメラ動作のフローチャート図である。
【００７３】
図１と図２は、実施例１と同じなので、説明を省略する。
【００７４】
図５、図６と図７は、カメラの動作フローを表したフローチャートであり、カメラの動作フローを詳細に説明する。
【００７５】
図６のＳ３０１において、カメラはレジスタの初期化やデータの初期化、及び周辺回路の初期化等の初期設定を行う。
【００７６】
Ｓ３０２において、不図示のカメラ設定ボタンや撮影操作ボタン、メイン電子ダイヤル、サブ電子ダイヤル等の状態検出を行う。
【００７７】
Ｓ３０３において、測光／ＡＦ開始ＳＷがオフならば、Ｓ３１３へ移行し、そうでなければＳ３０４へ移行する。
【００７８】
Ｓ３０４において、外部ストロボが装着されている場合は、外部ストロボと通信を行い、図２で示すように、ストロボ情報を受信する。
【００７９】
また、このストロボ情報の中には、フレネルレンズの温度危険レベル情報が含まれていて、危険度によりレベルを変えていて、レベルの内容としては、ＬＥＶＥＬ１：危険度小、ＬＥＶＥＬ２：危険度中、ＬＥＶＥＬ３：危険度大、としている。
【００８０】
Ｓ３０５において、被写体に焦点を合わせる為に、周知の位相差検出方式による測距動作を行う。
【００８１】
Ｓ３０６において、前記測距動作によるデータをもとに、レンズを駆動する。
【００８２】
Ｓ３０７において、測光回路からの出力や設定ＩＳＯ、撮影モード等のカメラ設定から、シャッター秒時（ＣＣＤ蓄積時間）、絞り値等を決定するための測光演算処理を行う。
【００８３】
Ｓ３０８において、ストロボ情報の危険レベルにより、撮影時の絞り値を変更させる為のＴｖＡｖ歳演算を行なう。
【００８４】
ここで、図７により、詳細に説明する。
【００８５】
図７のＳ４０１において、ストロボが未装着ならば、フレネルレンズの危険レベル対応処置が不要な為、この処理を終了する。
【００８６】
Ｓ４０２において、ストロボ情報であるフレネルレンズの温度危険レベル情報がＬＥＶＥＬ１ならば、Ｓ４０６へ移行し、そうでなければＳ４０３へ移行する。
【００８７】
Ｓ４０３において、危険レベル情報がＬＥＶＥＬ２ならば、Ｓ４０４へ移行し、そうでなけばＳ４０５に移行する。
【００８８】
Ｓ４０４において、測光演算により算出された演算後Ａｖ値から−１段（開放側）したＡｖ値を撮影Ａｖ値に決定する。
【００８９】
Ｓ４０５において、ＬＥＶＥＬ３なので、測光演算により算出された演算後Ａｖ値から−２段（開放側）したＡｖ値を撮影Ａｖ値に決定する。
【００９０】
Ｓ４０６において、ストロボズーム位置がワイド端ならば、Ｓ４０７に移行して、撮影Ａｖ値から−１段（開放側）したＡｖ値を撮影Ａｖ値に決定する。
【００９１】
Ｓ４０８において、撮影Ａｖが最小Ａｖよりも小さければ（レンズの開放Ｆ．Ｎｏより開放ならば）、Ｓ４０９に移行して、撮影Ａｖを最小Ａｖに決定し、そうでなければ、撮影Ａｖは変更せずに、このＴｖＡｖ再演算フローチャートを終了する。
【００９２】
図６に戻って、Ｓ３０９において、算出されたシャッター秒時、絞り値等、カメラの情報を表示部により、表示する。
【００９３】
Ｓ３１０において、撮影操作ＳＷがオンならば、Ｓ３１１へ移行し、周知であるＣＣＤのゲイン設定、ＣＣＤ蓄積動作、ＣＣＤ読み出し、画像処理、画像書き込み等、撮影動作を行う。
【００９４】
図５が撮影動作フローチャートだが、実施例１と同じなので、説明を省略する。
Ｓ３１２において、測光／ＡＦ開始ＳＷがオンならばＳ３０２へ戻り、そうでなければ、Ｓ３１３へ移行する。
【００９５】
Ｓ３１３において、不図示のカメラ設定釦が押されていれば、Ｓ１０４へ移行しカメラの各種設定処理を行い、Ｓ３０２へ戻る。
【００９６】
Ｓ３１５において、カメラの動作電源ＳＷがオンであれば、Ｓ３０２に戻り、そうでなければ、Ｓ３１３において、カメラの動作を終了させるために、周辺回路への電源オフの指示やデータの退避等の終了設定を行い、動作を終了する。
【００９７】
以上の動作により、外部ストロボからフレネルレンズの温度危険レベル情報を受け取り、危険と判断すると絞り値を自動的に開放側にさせることで、発光量を抑えることが可能となる。
【００９８】
更に、ストロボのズーム位置が、ワイド端ならば最もフレネルレンズに近いので、更に絞り値を自動的に開放側にさせることで、発光量を抑えることが可能である。
【００９９】
以上が実施例２の内容である。
【図面の簡単な説明】
【０１００】
【図１】実施例１，２のカメラ構成図。
【図２】実施例１，２のストロボ通信データ（カメラ受信データ）。
【図３】実施例１のカメラ動作のフローチャート。
【図４】実施例１の演算ＩＳＯを決定するフローチャート。
【図５】実施例１，２の撮影動作のフローチャート。
【図６】実施例２のカメラ動作のフローチャート。
【図７】実施例２のＴｖＡｖ再演算のフローチャート。
【符号の説明】
【０１０１】
１  システム制御部
２  撮像部
３  撮像部制御回路
４  バッファメモリ１
５  画像処理部
６  メモリ制御部
７  バッファメモリ２
８  Ｉ／Ｆ
９  ハードディスク
１０  モータ制御回路
１１  シャッター制御回路
１２  測光回路
１３  焦点検出回路
１４  液晶回路
１５  画像表示回路
１６  操作部
１７  レンズ制御回路
１８  ストロボ制御回路
１９  温度検知回路
【図１】
2007309996.tif 000003
【図２】
2007309996.tif 000004
【図３】
2007309996.tif 000005
【図４】
2007309996.tif 000006
【図５】
2007309996.tif 000007
【図６】
2007309996.tif 000008
【図７】
2007309996.tif 000009